(57)【要約】【課題】顔面に対する美容施術と、香り付ボディパウダーの塗布と、特定のリラックス施術を組み合わせた、全く新しい顔面美容施術に用いられる美容セットを提供する。【解決手段】顔面に対する美容施術を説明表示する第１の表示部と、上記首から胸にかかる部分に対する美容施術を説明表示する第２の表示部とを備えた冊子１と、香り付ボディパウダーとが組み合わせられており、上記冊子１の第１の表示部には、顔面に対する複数の施術動作の説明が、女性の顔のイラストとともに、その動作の順に表示され、上記第２の表示部には、首から胸にかかる部分に対する１７種類の特定の施術動作の説明が、女性の胸から上のイラストとともに、その動作の順に表示されている。【選択図】図１
2006212456.tif 000002
【特許請求の範囲】
【請求項１】
被施術者の顔面に対する美容施術を行ったのち、首から胸にかけて香り付ボディパウダーを塗布した状態で、首から胸にかかる部分に対してリラックス施術を行う顔面美容に用いられる美容セットであって、上記顔面に対する美容施術を説明表示する第１の表示部と、上記首から胸にかかる部分に対する美容施術を説明表示する第２の表示部とを備えた美容施術表示物と、香り付ボディパウダーとが組み合わせられており、上記美容施術表示物の第１の表示部には、顔面に対する複数の施術動作の説明が、女性の顔のイラストとともに、その動作の順に表示され、上記第２の表示部には、首から胸にかかる部分に対する下記の（１）〜（１７）の施術動作の説明が、女性の胸から上のイラストとともに、その動作の順に表示されていることを特徴とする美容セット。
（１）片方の手のひら全体で、片方の耳下腺から顎の下を通って反対側の耳下腺に到達後、その下の肩筋を通って肩を包むように軽擦を行い、ついで胸を通り、反対側の肩を包むように軽擦を行ったのち、その上の肩筋を通って、耳下腺でとめる施術を、左右を交代して交互に行う第１の軽擦施術。
（２）両方の手のひらで左右同時に、耳下腺から側頸部にかけて、外側に向かって円を描くように軽擦を行う第２の軽擦施術。
（３）両方の手の指先で左右同時に、後頸から肩先までを上下にこする第１の摩擦施術。
（４）両方の手の指先で左右同時に、大胸筋の部分を、胸の中心側から外側に向かって揉撚をする第１の揉撚施術。
（５）両方の手の親指で左右同時に、胸の中心側から外側に向かって肋骨上を通るように軽擦を行う第３の軽擦施術。
（６）両方の手の親指で左右同時に、肋骨間を、胸の中心側から外側に向かって移動しながら指圧する第１の指圧施術。
（７）両方の手の親指で左右同時に、首の付け根、肩の中央、肩先を、この順で指圧する第２の指圧施術。
（８）両方の手のひらで左右同時に、側頸部を上下にこする第２の摩擦施術。
（９）片方の手のひらに頭をのせて支え、もう一方の手で後頸の筋肉を下から上に向かって揉撚をすることを、左右を交代して交互に行う第２の揉撚施術。
（１０）両手を腕の付け根のところから下に入れ、肩甲骨の上部を持ち上げながら首の付け根まで上り、首筋を、両手を組んで手首をまわしながら上り、首から後頭部にかけて圧迫を与える圧迫施術。
（１１）髪の生え際に両手をかけ、首を手前に引っ張り気味にして振せんをする振せん施術。
（１２）片方の手のひらに頭をのせ、その手の指がかかっている方の肩を、もう一方の手で押さえ、肩のすじを伸ばすように左右方向に引っ張ることを、左右を交代して交互に行う引き伸ばし施術。
（１３）両方の手の親指を額に並べて置き、両手の４指で左右同時に、目の上を中央から外側に向かって、指を開きながら軽擦をする第４の軽擦施術。
（１４）両方の手の親指で左右同時に、眉頭、眉の中央、こめかみを、この順で指圧する第３の指圧施術。
（１５）両方の手の指先で左右同時に、額から後頭部に向かって指圧しながら移動する第４の指圧施術。
（１６）両方の手で、頭頂部周辺を連打する連打施術。
（１７）両方の手のひらで左右同時に、こめかみから目頭までを覆い、圧迫と振せんをする圧迫・振せん施術。
【請求項２】
上記施術動作表示物が、施術動作の説明表示を画像装置によって行うものである請求項１記載の美容セット。
【請求項３】
上記施術動作の説明表示が、コンピュータを利用してなされるようになっている請求項２記載の美容セット。
【発明の詳細な説明】
【技術分野】
【０００１】
本発明は、エステティック施術者等が顧客に対して顔面美容施術を行う際に用いられる美容セットに関するものである。
【背景技術】
【０００２】
従来から、エステティックサロンや化粧品販売店のエステティックコーナー等では、美容を目的とする各種のマッサージが行われているが、最も一般的なものは、美顔を目的とするフェイシャルマッサージである。このフェイシャルマッサージでは、血行を促進したり、リンパの流れをよくするためのマッサージや、筋肉に働きかけて皮膚のたるみやしわを改善するマッサージが主として行われている（例えば特許文献１を参照）。
【特許文献１】特開２０００−３１２７０４公報
【発明の開示】
【発明が解決しようとする課題】
【０００３】
しかしながら、最近、顔に対する美容効果を高めるには、顔面に対するマッサージだけでなく、精神的にリラックスした状態をつくりだし、心臓から顔に向かう血液やリンパの流れをよくすることが重要であることが知られるようになってきた。そこで、このような効果を得ることのできる新しいマッサージ方法を、従来のフェイシャルマッサージに付加することが検討されているが、未だ実用化には至っていない。
【０００４】
本発明は、このような事情に鑑みなされたもので、顔面に対する美容施術と、香り付ボディパウダーの塗布と、特定のリラックス施術を組み合わせた、全く新しい顔面美容施術に用いられる美容セットの提供を、その目的とする。
【課題を解決するための手段】
【０００５】
上記の目的を達成するため、本発明は、被施術者の顔面に対する美容施術を行ったのち、首から胸にかけて香り付ボディパウダーを塗布した状態で、首から胸にかかる部分に対してリラックス施術を行う顔面美容に用いられる美容セットであって、上記顔面に対する美容施術を説明表示する第１の表示部と、上記首から胸にかかる部分に対する美容施術を説明表示する第２の表示部とを備えた美容施術表示物と、香り付ボディパウダーとが組み合わせられており、上記美容施術表示物の第１の表示部には、顔面に対する複数の施術動作の説明が、女性の顔のイラストとともに、その動作の順に表示され、上記第２の表示部には、首から胸にかかる部分に対する下記の（１）〜（１７）の施術動作の説明が、女性の胸から上のイラストとともに、その動作の順に表示されている美容セットを第１の要旨とする。
（１）片方の手のひら全体で、片方の耳下腺から顎の下を通って反対側の耳下腺に到達後、その下の肩筋を通って肩を包むように軽擦を行い、ついで胸を通り、反対側の肩を包むように軽擦を行ったのち、その上の肩筋を通って、耳下腺でとめる施術を、左右を交代して交互に行う第１の軽擦施術。
（２）両方の手のひらで左右同時に、耳下腺から側頸部にかけて、外側に向かって円を描くように軽擦を行う第２の軽擦施術。
（３）両方の手の指先で左右同時に、後頸から肩先までを上下にこする第１の摩擦施術。
（４）両方の手の指先で左右同時に、大胸筋の部分を、胸の中心側から外側に向かって揉撚をする第１の揉撚施術。
（５）両方の手の親指で左右同時に、胸の中心側から外側に向かって肋骨上を通るように軽擦を行う第３の軽擦施術。
（６）両方の手の親指で左右同時に、肋骨間を、胸の中心側から外側に向かって移動しながら指圧する第１の指圧施術。
（７）両方の手の親指で左右同時に、首の付け根、肩の中央、肩先を、この順で指圧する第２の指圧施術。
（８）両方の手のひらで左右同時に、側頸部を上下にこする第２の摩擦施術。
（９）片方の手のひらに頭をのせて支え、もう一方の手で後頸の筋肉を下から上に向かって揉撚をすることを、左右を交代して交互に行う第２の揉撚施術。
（１０）両手を腕の付け根のところから下に入れ、肩甲骨の上部を持ち上げながら首の付け根まで上り、首筋を、両手を組んで手首をまわしながら上り、首から後頭部にかけて圧迫を与える圧迫施術。
（１１）髪の生え際に両手をかけ、首を手前に引っ張り気味にして振せんをする振せん施術。
（１２）片方の手のひらに頭をのせ、その手の指がかかっている方の肩を、もう一方の手で押さえ、肩のすじを伸ばすように左右方向に引っ張ることを、左右を交代して交互に行う引き伸ばし施術。
（１３）両方の手の親指を額に並べて置き、両手の４指で左右同時に、目の上を中央から外側に向かって、指を開きながら軽擦をする第４の軽擦施術。
（１４）両方の手の親指で左右同時に、眉頭、眉の中央、こめかみを、この順で指圧する第３の指圧施術。
（１５）両方の手の指先で左右同時に、額から後頭部に向かって指圧しながら移動する第４の指圧施術。
（１６）両方の手で、頭頂部周辺を連打する連打施術。
（１７）両方の手のひらで左右同時に、こめかみから目頭までを覆い、圧迫と振せんをする圧迫・振せん施術。
【０００６】
また、本発明は、そのなかでも、特に、上記美容施術表示物が、施術動作の説明表示を画像装置によって行うものである美容セットを第２の要旨とし、さらに、そのなかでも、特に、上記施術動作の説明表示が、コンピュータを利用してなされるようになっている美容セットを第３の要旨とする。
【０００７】
なお、本発明において、「軽擦」とは、皮膚表面を軽くなでたりさすったりする手技であって、皮膚に気持ちのよい刺激を与えてリラックスさせる基本的手技である。また、「振せん」とは、皮膚に、軽く、細かく、リズミカルな振動を与える手技であって、これも、皮膚に気持ちのよい刺激を与えてリラックスさせる基本的手技である。さらに、「揉撚」とは、皮膚をこするように揉む手技であって、皮膚だけでなく筋肉にまで刺激を与え、組織の代謝を高め、血行をよくする手技である。
【発明の効果】
【０００８】
すなわち、本発明の美容セットによれば、顔面に対する美容施術を行ったのち、首から胸にかけて香り付ボディパウダーを塗布した状態で、胸から上の部位に対し特定のリラックス施術を行う、という従来にはない特殊な顔面美容施術を、だれでも簡単に行うことができる。そして、この美容セットを用いた顔面美容施術によれば、顔面の血行やリンパのバランスが整えられ、ついで、上記リラックス施術によって心身のストレスが解消され、心臓から顔に向かう血液やリンパの流れがよくなるようになっている。したがって、両施術の相乗効果により、従来にない、優れた顔面美容効果を得ることができる。
【発明を実施するための最良の形態】
【０００９】
本発明は、エステティック施術者等が、顧客に対して行う顔面美容に用いられる美容セットで、例えば図１に示すような、美容施術用の冊子１と、後述する香り付ボディパウダーとを組み合わせた構成になっている。以下、この冊子１の内容について説明する。
【００１０】
この冊子１の表紙１ａの中央部には、「Ｆａｃｉａｌ  Ｔｅｃｈｎｉｃ」という見出し２と、「フェイシャルテクニック  バランシングマッサージ」という添え書き３とが表示されている。上記「バランシングマッサージ」とは、この例における顔面への美容施術の呼称である。
【００１１】
そして、この表紙１ａをめくると、まず、最初の数頁は、頁ごとに、タオルのかけ方、ターバンのかけ方、といった、施術の準備段階での基本的な技術についての説明が、イラストとともに表示されている。ちなみに、各頁のタイトルは、下記のとおりである。
【００１２】
（１）タオルのかけ方
（２）ターバンのかけ方
（３）ポイントメイクのクレンジング
（４）クレンジング料の伸ばし方
（５）拭き取り用スポンジの持ち方
（６）拭き取り用スポンジの使い方
（７）マッサージオイルの伸ばし方
【００１３】
つぎの数頁には、顔面に対する美容施術である「バランシングマッサージ」の説明が、マッサージの手順にしたがって、イラストとともに表示されている。すなわち、その第１頁は、図２に示すように、上段に、「（８）バランシングマッサージ」の見出し４が表示されており、その右側に、「肌が本来持っている恒常性をバランスよく整え、すこやかで美しい肌づくりをすることが目的です。」というこのマッサージの目的についての説明文５が表示されている。
【００１４】
そして、その下の段には、左側に四角枠６が設けられており、その内側に、「ＳＴＥＰ−１（リンパの流れをよくする。）」という見出し７が表示されている。また、その右側には、「マッサージに対する肌へのウォーミングアップとして、指・手のひらがぴったり密着できるテクニックを用い、リンパの流れをよくする。」という、このステップの説明８が表示されている。
【００１５】
そして、その下の段から、つぎの頁にまたがる７つの段に、リンパの流れをよくするための７種類の施術動作が、各段ごとに、イラストとともに説明されている。例えば、図２の「１」と表示された第１段９には、「４指の腹を使い、あごの中央から耳下腺に向かって、あごをつつみ込むように左右交互に軽擦をする。（３回）」という施術動作の説明文１０が示されており、その左側に設けられた女性の顔のイラスト１１に、指の動きを示す矢印イ，ロが示されている。第２段以下の施術動作については、説明を省略する。
【００１６】
そのつぎの頁は、図３に示すように、上段の左側に四角枠１２が設けられており、その内側に、「ＳＴＥＰ−２（毛細血管の働きをよくする。）」という見出し１３が表示されている。また、その右側には、「マッサージ手法のうち、簡単で効果が高い………毛細血管の働きをたかめる。」という、このステップの説明１４が表示されている。
【００１７】
そして、その下の段から、つぎの頁にまたがる７つの段に、毛細血管の働きをよくするための７種類の施術動作が、各段ごとに、イラストとともに説明されている。例えば、図３の「１」と表示された第１段１５には、「左額から両手のひらを回転させながら下から上へと軽くさすり、ゆっくりと左から右へ２往復し、額中央で終わる。（２往復半）」という施術動作の説明文１６が示されており、その左側に設けられた女性の顔のイラスト１７に、指の動きを示す矢印が示されている。第２段以下の施術動作については、説明を省略する。
【００１８】
そのつぎの頁は、図４に示すように、上段の左側に四角枠１８が設けられており、その内側に、「ＳＴＥＰ−３（筋肉に働きかける。）」という見出し１９が表示されている。また、その右側には、「リズムを感じさせる刺激的な手法を用い、筋肉に働きかけて、部位に合わせた効果的なマッサージを行う。」という、このステップの説明２０が表示されている。
【００１９】
そして、その下の段から、つぎの頁にまたがる７つの段に、筋肉に働きかけるための７種類の施術動作が、各段ごとに、イラストとともに説明されている。例えば、図４の「１」と表示された第１段２１には、「中指、薬指を中心に使い、頬の部分を揉撚法で下から上に向けてマッサージをする。（４〜８回転を１回）」という施術動作の説明文２２が示されており、その左側に設けられた女性の顔のイラスト２３に、指の動きを示す３本のらせん状矢印イ，ロ，ハが示されている。なお、説明文２２の下に、「イ．あご〜こめかみ（８回転）  ロ．目尻〜こめかみ（６回転）  ハ．小鼻〜こめかみ（４回転）」という回転回数の指示２４が付記されている。第２段以下の施術動作については、説明を省略する。
【００２０】
そのつぎの頁は、図５に示すように、上段の左側に四角枠２５が設けられており、その内側に、「ＳＴＥＰ−４（神経を鎮静させる。）」という見出し２６が表示されている。また、その右側には、「神経を鎮静させる指圧法や圧迫法を用いて、マッサージの仕上げを行い、血液、リンパの流れを適度な状態に整える。」という、このステップの説明２７が表示されている。
【００２１】
そして、その下の段から、つぎの頁にまたがる７つの段に、神経を鎮静させるための７種類の施術動作が、各段ごとに、イラストとともに説明されている。例えば、図５の「１」と表示された第１段２８には、「人差し指、中指、薬指をそろえて、指の間を１．５ｃｍくらいあけてイ，ロ，ハの順に押していく。」という施術動作の説明文２９が示されており、その左側に設けられた女性の顔のイラスト３０に、押圧点を破線でつないだ３本の線イ，ロ，ハが示されている。
【００２２】
また、その下の、「２」と表示された第２段３１には、「鼻のつけ根、鼻の中心でやや広がった部分、小鼻のよこを中指で押す。（３回）」という説明文３２が示されており、その左側のイラスト３３に、押圧点イ，ロ，ハが示されている。第３段以下の施術動作については、説明を省略する。
【００２３】
上記ステップ１〜４により、一連の「バランシングマッサージ」に関する施術動作の説明が終了する。
【００２４】
そして、つぎの数頁には、上記顔面に対する「バランシングマッサージ」に続けて行うと効果の高い「リラックスマッサージ」の説明が、マッサージの手順にしたがって、イラストとともに表示されている。すなわち、その第１頁は、図６に示すように、上段に、「（９）リラックスマッサージ  気分のリフレッシュをはかる」の見出し４０が表示されており、その右側に、「スキンタッチの範囲を、頭、首、肩、胸に広げることによって、より大きな快い刺激を脳に与え、気分のリフレッシュを図る。」というこのマッサージの目的についての説明文４１が表示されている。
【００２５】
そして、その下の段には、左側に、「事前準備」という見出し４２が表示されており、その下に、目から上をタオルで覆った女性の首から上を示すイラスト４３が表示されている。そして、その右側に、「左図のように、タオルで目の上をおおい、首から胸にかけてボディパウダーをつける。」という説明文４４が表示されており、その下に、「＊１〜１７まで、タオルをかけたまま技術を行う。」という注意書き４５が表示されている。これにより、以下の「リラックスマッサージ」は、タオルで目から上を覆い、首から胸にかけてボディパウダーをつけた状態で施術を行うことがわかる。
【００２６】
そして、その下の、「１」と表示された第１段４６には、「右手のひら全体を使い、右の耳下腺から左の耳下腺に向かい、左肩筋を通り左肩を包むように軽擦を行い、胸を通り右肩、右肩筋をまわって、右の耳下腺でとめる。左側も同じように行う。（３回）」という施術動作の説明文４７が示されており、その下に、「＊のど、胸を通る時は力を抜く。」という注意書き４８が付記されている。また、その左側には、胸から上の女性のイラスト４９が表示されており、上記施術動作における手の動きを示す矢印が示されている。
【００２７】
つぎに、図７に示すように、その下の、「２」と表示された第２段５０には、「耳下腺から側頸部を両手のひらで外側に３回転を描くように、左右同時に軽擦をする。（３回）」という施術動作の説明文５１が示されており、その下に、「＊４指を外側に向けるような気持ちで軽く行う。＊指を内側に向けると、のどを圧迫し苦しくなるので注意をする。」という注意書き５２が付記されている。また、その左側には、第１段４６と同様、手の動作を示す矢印を付した女性のイラスト５３が表示されている。
【００２８】
そして、その下の、「３」と表示された第３段５４には、「後頸から肩先までを、４指を使いやや強く上下にさする。手のひらを外側に返すように左右同時に行う。（３往復）」という施術動作の説明文５５が示されており、その左側に、手の動作を示す矢印を付した女性のイラスト５６が表示されている。
【００２９】
また、図８に示すように、つぎの頁の最上段の、「４」と表示された第４段５７には、「４指で大胸筋の部分を胸の中心から外側に向かいイ，ロ，ハの順で３回転づつ左右同時に揉撚をする。（３回）」という施術動作の説明文５８が示されており、その左側に、手の動作を示す矢印イ，ロ，ハ付の女性のイラスト５９が表示されている。
【００３０】
そして、その下の、「５」と表示された第５段６０には、「親指で肋骨を通り、内から外へ向けイ，ロ，ハの順に軽擦をする。（３回）」という施術動作の説明文６１が示されており、その左側に、手の動作を示す矢印イ，ロ，ハを付した女性のイラスト６２が表示されている。
【００３１】
つぎに、図９に示すように、その下の、「６」と表示された第６段６３には、「肋骨間を指圧する。親指の腹を使いイ，ロ，ハの順に両手同時に行う。（３回）」という施術動作の説明文６４が示されており、その下に、「＊身体の重みをのせるように行なう。」という注意書き６５が付記されている。また、その左側には、指圧点を破線でつないで示す矢印イ，ロ，ハを付した女性のイラスト６６が表示されている。
【００３２】
そして、その下の、「７」と表示された第７段６７には、「親指の腹を使い、イ．首のつけね、ロ．肩の中央、ハ．肩先を左右同時に指圧をする。」という施術動作の説明文６８が示されており、その左側に、指圧点イ，ロ，ハを付した女性のイラスト６９が表示されている。
【００３３】
また、図１０に示すように、つぎの頁の最上段の、「８」と表示された第８段７０には、「側頸部を手のひら全体で左右同時にやや強くこする。（３往復）」という施術動作の説明文７１が示されており、その左側に、手の動作を示す矢印を付した女性のイラスト７２が表示されている。
【００３４】
そして、その下の、「９」と表示された第９段７３には、「（１）左手のひらに頭をのせ軽く支え、右手で後頸の筋肉を下から上に向かってイ．ロ．ハの順に揉撚をする。（３ヶ所）  （２）右も同様に行う。」という施術動作の説明文７４が示されており、その下に、「＊後頸の筋肉（僧帽筋）とは、首筋の後ろ側にある太く固い筋肉のこと。」という注意書き７５が付記されている。また、その左側に、手の動作を示す矢印イ，ロ，ハを付した女性のイラスト７６が表示されている。
【００３５】
つぎに、図１１に示すように、その下の、「１０」と表示された第１０段７７には、「両手を腕のつけねのところから下に入れ、肩甲骨の上部を４本指ではずませるよう持ち上げながら、首のつけねまで上る。首は両手の４指を重ね、手首をまわしながら頭に上り、ツボを指圧する。ツボは１回目、２回目、３回目でそれぞれ異なる。」という施術動作の説明文７８が示されており、その下に、「＜中指＞  （１）１回目−ぼんのくぼ（両手中指を重ねる）  （２）２回目−天柱（左右同時）  （３）３回目−風池（左右同時）」という動作の補足説明文７９が表示されている。また、その左側には、手の動作を示す矢印とツボ（１）〜（３）を付した女性のイラスト８０が表示されている。
【００３６】
そして、その下の、「１１」と表示された第１１段８１には、「髪のはえぎわに親指を除く両手４指をかけ、同時に少し首を手前に引っ張るように振せんを加える。」という施術動作の説明文８２が示されており、その左側に、指をかける位置（１）と、首の動作（２）を付した女性のイラスト８３が表示されている。
【００３７】
また、図１２に示すように、つぎの頁の最上段の、「１２」と表示された第１２段８４には、「右手のひらに頭をのせ、左手で左肩を押さえ、左肩すじをのばすように左右にひっぱる。反対側も同様に行う。（３回）」という施術動作の説明文８５が示されており、その左側に、手の動作を示す矢印付の女性のイラスト８６が表示されている。
【００３８】
そして、その下の、「１３」と表示された第１３段８７には、「親指を額に置き、４指で目の上を軽く中央から外に向かって、指を開くように３回転軽擦をする。」という施術動作の説明文８８が示されており、その下に、「＊タオルの上から。」という注意書き８９が付記されている。また、その左側に、手の動作を示す矢印イ，ロ，ハを付した女性のイラスト９０が表示されている。
【００３９】
つぎに、図１３に示すように、その下の、「１４」と表示された第１４段９１には、「親指の腹で、イ．眉頭、ロ．中央、ハ．目尻、ニ．こめかみの順で軽く圧迫をする。（１回）」という施術動作の説明文９２が示されており、その下に、「タオルの上から」という注意書き９３が表示されている。また、その左側には、手による圧迫点イ〜ハを付した女性のイラスト９４が表示されている。
【００４０】
そして、その下の、「１５」と表示された第１５段９５には、「額、頭を指圧する。（１）眉と眉の間から百会の横まで６ヶ所。（親指を重ねる）  （２）眉頭から百会の横まで５ヶ所。（イ．人差し指・中指、ロ．両手親指）  （３）眉の中央から百会の横までの５ヶ所、最後に百会を押す。（親指・百会のみ両親指を重ねる。）（１回）」という施術動作の説明文９６が示されており、その下に、「＊タオルの上から。」という注意書き９７が付記されている。また、その左側には、手による指圧点イ〜ホとその順（１）〜（３）を付した女性のイラスト９８が表示されている。
【００４１】
また、図１４に示すように、つぎの頁の最上段の、「１６」と表示された第１６段９９には、「拍打（ハクダ）、切打（セツダ）、叩打（コウダ）、雷手（カミナリテ）などを百会のまわりを中心に行う。」という施術動作の説明文１００が示されており、その下に、「＊タオルの上から。」という注意書き１０１が付記されている。そして、さらにその下に、上記拍打、切打、叩打、雷手の各動作の説明図１０２が表示されている。また、左側に、その打つ位置と百会の位置を付した女性のイラスト１０３が表示されている。
【００４２】
そして、その下の、「１７」と表示された第１７段１０４には、「手のひらでこめかみを押さえ、指の腹全体で目の部分をおおい、中指が目頭にくるようにして、圧迫、振せんをする。（１回）」という施術動作の説明文１０５が示されており、その下に、「＊タオルの上から。」という注意書き１０６が付記されている。また、その左側に、手の動作を付した女性のイラスト１０７が表示されている。
【００４３】
このように構成された冊子１の内容に従い、エステティック施術者等は、顧客に対し、まず、顔面に対するバランシングマッサージを行い、つぎに、頭、首、肩、胸まで含むリラックスマッサージを行うことができる。このように、２段階でマッサージを行うと、まず、顔面に対するバランシングマッサージにより、顔面の血行やリンパのバランスが整えられ、ついで、胸から上に対するリラックスマッサージにより、心身のストレスが解消され、心臓から顔に向かう血液やリンパの流れがよくなるため、両方の相乗効果により、顔面に対し、従来にない、優れた美容効果を得ることができる。
【００４４】
特に、上記の例では、上記リラックスマッサージにおいて、首から胸にかけて、ボディパウダーを塗布した上でマッサージを行うようになっており、上記ボディパウダーとして、ヒーリング効果の高い香りのついたものを用いることにより、リラックス効果がより促進され、一層高い効果を得ることができる。
【００４５】
上記ヒーリング効果の高い香りのついたボディパウダーとしては、「パヒュームパウダー  マリエール」、「パヒュームパウダー  火の鳥」、「ダリミックスゴールド  ボディパウダー」、「ミューク  リフレッシュパウダー」（いずれもカネボウ社製）等があげられる。
【００４６】
なお、上記リラックスマッサージに先立って行う顔面マッサージは、この例に示すバランシングマッサージに限らず、どのような構成のマッサージであっても差し支えないが、特に、上記バランシングマッサージのように、血行促進、リンパの流れ促進を目的とする施術を中心にしたマッサージであることが好適である。
【００４７】
また、上記の例では、リラックスマッサージが、１７種類の施術で構成されているが、上記１７種類の施術のうち、少なくとも２種類の施術を組み合わせて用いることが、リラックス効果を得る上で必要である。また、上記１７種類の各施術において、指使いや繰り返し回数等を多少変更するようにしても差し支えない。
【００４８】
さらに、上記の例では、美容施術に関する情報を冊子１という形にまとめておき、施術者がこれを見ながら施術を進めるようにしているが、必ずしもこのような印刷物を用いる必要はなく、ＴＶ−モニターや、ＣＲＴ，液晶モニター等の画像装置を利用したり、コンピュータを利用したりすることができる。
【図面の簡単な説明】
【００４９】
【図１】本発明の一実施例に用いる冊子の説明図である。
【図２】上記冊子の部分的な説明図である。
【図３】上記冊子の部分的な説明図である。
【図４】上記冊子の部分的な説明図である。
【図５】上記冊子の部分的な説明図である。
【図６】上記冊子の部分的な説明図である。
【図７】上記冊子の部分的な説明図である。
【図８】上記冊子の部分的な説明図である。
【図９】上記冊子の部分的な説明図である。
【図１０】上記冊子の部分的な説明図である。
【図１１】上記冊子の部分的な説明図である。
【図１２】上記冊子の部分的な説明図である。
【図１３】上記冊子の部分的な説明図である。
【図１４】上記冊子の部分的な説明図である。
【符号の説明】
【００５０】
１  冊子
【図１】
2006212456.tif 000003
【図２】
2006212456.tif 000004
【図３】
2006212456.tif 000005
【図４】
2006212456.tif 000006
【図５】
2006212456.tif 000007
【図６】
2006212456.tif 000008
【図７】
2006212456.tif 000009
【図８】
2006212456.tif 000010
【図９】
2006212456.tif 000011
【図１０】
2006212456.tif 000012
【図１１】
2006212456.tif 000013
【図１２】
2006212456.tif 000014
【図１３】
2006212456.tif 000015
【図１４】
2006212456.tif 000016